(57)【要約】      （修正有）【課題】建設が容易で、一般的な工具があれば誰でも製作することができるドーム型構造体を提供する。【解決手段】ドーム型構造体Ｅは、任意の長さの丸棒の両端を横から見るとハの字になるように鋭角に斜めに切断して、両端の楕円形の切断面を形成せしめ、こうして得られた楕円断面付丸棒Ｂを楕円形の切断面同士を接合させて三角形枠素体Ｃをつくり、この三角形枠素体Ｃを隣り合わせ楕円断面付丸棒Ｂ同士を結合させ、このような作業を繰り返し多面体ドームの骨組みＤを形成させることを特徴とする。【選択図】図４
0003150236.tif 000002
【実用新案登録請求の範囲】
【請求項１】
一定の長さの丸棒（Ａ）の両端を横から見るとハの字になるように鋭角に斜めに切断して、両端に楕円形の切断面（１，１）を形成せしめ、こうして得られた楕円断面付丸棒（Ｂ）三本を各々楕円形の切断面（１）同士を接合させて三角枠素体（Ｃ）を形成させ、この三角枠素体（Ｃ）を多数個用意し、この三角形枠素体（Ｃ）同士を隣り合う状態で並べ、構成する楕円断面付丸棒（Ｂ）同士を長さを合わせて結束材（（２）にて、半束縛状態で結束し、このような作業を繰り返し多面体の骨組み（Ｄ）を形成させ、この多面体の骨組（Ｄ）を多数個結合させて得られることを特徴としたドーム型構造体（Ｅ）。
【考案の詳細な説明】
【技術分野】
【０００１】  本考案は、丸棒を使ったドーム型骨組み構造に関するものである。
【背景技術】
【０００２】多面体ドームを形成する方法はいろいろ提案されているが、専用のジョイント金物によってジョイント部を回転自在のピンで結合させ、ドーム形状を形作っていく方法の提案が多い。
【考案の概要】
【考案が解決しようとする課題】
【０００３】  材の軸方向の抵抗力だけで荷重を受けるトラス型骨組構造であり、ジョイント部に荷重が集中することにより、ジョイント部に強度が求められ、材や金物に高度な強度が求められ特殊な専用金物が必要である。【０００４】  精密に計算されたデータが必要で、製作には高度な技術と機械、大がかりな工場が必要である。
本考案は、これらの問題を解決するためになされたものである。
【課題を解決するための手段】
【０００５】  本考案のドーム型構造体（Ｅ）は、一定の長さの丸棒（Ａ）の両端を横から見るとハの字になるように鋭角に斜めに切断して、両端に楕円形の切断面（１，１）を形成せしめ、こうして得られた楕円断面付丸棒（Ｂ）三本を各々楕円形の切断面（１）同士を接合させて三角枠素体（Ｃ）を形成させ、この三角枠素体（Ｃ）を多数個用意し、この三角枠素体（Ｃ）同士を隣り合う状態で並べ、構成する楕円断面付丸棒（Ｂ）同士を長さを合わせて結束材（（２）にて、半束縛状態で結束し、このような作業を繰り返し多面体の骨組み（Ｄ）を形成させ、この多面体の骨組（Ｄ）を多数個結合させて得られることを特徴とする。【０００６】本考案で用いる丸棒（Ａ）とは、例えば、間伐材そのまま、アルミなどの金属製丸棒、プラスチック製丸棒、などが挙げられるが、自然材の活用や環境問題の解決、現地での入手し易さから、間伐材を用いるのが好ましい。【０００７】本考案で用いる丸棒（Ａ）の一定の長さとは、得ようとするドーム型構造体（Ｅ）の形状や大きさによって、予め計算された長さである。【０００８】  本考案では、丸棒（Ａ）の両端を横から見るとハの字状になるよう鋭角に斜めに切断するが、この角度は、得ようとするドーム型構造体（Ｅ）の形状や大きさによって決める。おおむね２５度から３５度がよい。【０００９】本考案で、楕円断面付丸棒（Ｂ）三本を各々楕円形の切断面（１）同士を接合させて三角枠素体（Ｃ）を形成させるのであるが、接合の仕方には、釘、ボルト、ねじ、ダボ接合などいずれでもよく、しっかり接合できればよい。【００１０】本考案で得られた三角枠素体（Ｃ）同士を接合するための結束材としては、針金、紐、バンド、麻縄、プラスチック製のリング体などが挙げられる。【００１１】本考案でいう半束縛状とは、楕円断面付丸棒（Ｂ）が長手方向同士に当接したまま、互いの楕円断面付丸棒（Ｂ）は楕円断面付丸棒（Ｂ）と長手方向の軸中心に回転できる状態となるように縛る状態を言う。結束した三角枠素体（Ｃ）が形成する面を、隣の三角枠素体（Ｃ）の形成する面との角度を調整しながら、多面体の骨組み（Ｄ）を形成するための自由度をもった結合状態にするためである。【００１２】本考案でいう多面体の骨組み（Ｄ）とは、前述のように三角枠素体（Ｃ）を結束して得るものであり、多面体の骨組み（Ｄ）としては、５角形又は６角形として用いるのがドーム型構造体（Ｅ）を形成するのに適当である。
【考案の効果】
【００１３】  複数種類から成る三角枠素体を、辺と辺を接続してドーム型構造体を形成することによって、建設が容易になる。【００１４】  三角枠素体を構成する長さや三角枠素体の数を変えることによってドーム型構造体の大きさや形状を変えることができる。【００１５】  材料のある場所で、一般的な工具があれば誰でも製作することができる。特殊金物や大掛かりな工場がなくてもできる。【００１６】  本考案で用いる丸棒の材料としては、木材、金属、プラスチック等が挙げられ、中でもコスト、使いやすさ、環境問題等考慮すると間伐材が望ましい。
【図面の簡単な説明】
【００１７】
【図１】本考案で用いる丸棒（Ａ）および楕円断面付丸棒（Ｂ）を示す説明図
【図２】本考案で用いる三角枠素体（Ｃ）を示す説明図
【図３】本考案で形成させる多面体骨組（Ｄ）を示す説明図
【図４】本考案のドーム型構造体（Ｅ）を示す説明図
【図５】実施例で使った丸棒を示す説明図
【図６】実施例で使った楕円断面付丸棒（Ｂ）示す説明図
【図７】実施例で使った三角枠素体（Ｃ）を示す説明図
【図８】実施例で使った多面体骨組（Ｄ）を示す説明図
【図９】実施例で完成させた本考案ドーム型構造体（Ｅ）の展開図を示す説明図
【考案を実施するための形態】
【実施例】
【００１８】    以下図面を用いて本考案の実施の一例を説明する。
図５は、実施例で示した丸棒Ａを示す。
（Ａ１）は、直径１．５ｃｍで長さ２５ｃｍ、同じく（Ａ２）は、直径１．５ｃｍで長さ２２ｃｍとした。
図６は、丸棒（Ａ）の両端を切断して得る３種類の楕円断面付丸棒（Ｂ）を示す。
（Ｂ１）は、（Ａ１）を用い、両端を横から見るとハ字状になるように左右対称に２７．５度に切断して、両端に楕円断面１を形成させた。
（Ｂ２）は、（Ａ１）を用い、両端を横から見るとハ字状になるように左右対称に３０度に切断して、両端に楕円断面１を形成させた。
（Ｂ３）は、（Ａ２）を用い、両端を横から見るとハ字状になるように両端をそれぞれ、３０度、２７．５度に切断して、両端に楕円断面１を形成させた。
図７は、上記で得た楕円断面付丸棒（Ｂ）を用いて得る２種類の三角枠素体（Ｃ）を示す。楕円断面付丸棒（Ｂ１）を１本、楕円断面付丸棒（Ｂ３）を２本を用い、それぞれ両端を合わせ、結束材のねじ（２）で結合させ、二等辺三角形の三角枠素体（Ｃ１）をつくった。楕円断面付丸棒（Ｂ２）を３本を用い、それぞれ両端を合わせ、結束材のねじ（２）で結合させ、正三角形素体の三角枠素体（Ｃ２）をつくった。
図８は、上記で得た三角枠素体（Ｃ）を用いて形成させた２種類の多面体骨組（Ｄ）を示す。
（Ｃ１）を４つ、（Ｃ２）を２つを、構成する三角枠素体（Ｃ１）の楕円断面付丸棒（Ｂ１）と、構成する三角枠素体（Ｃ２）の楕円断面付丸棒（Ｂ２）のそれぞれを隣り同士で並べ、結束材の紐（３）で、半拘束状体で結束し、六角形の多面体骨組（Ｄ１）をつくった。
（Ｃ１）を５つを、構成する三角枠素体（Ｃ２）の楕円断面付丸棒（Ｂ３）のそれぞれを隣り同士で並べ、結束材の紐（３）で、半拘束状体で結束し、五角形の多面体骨組（Ｄ２）をつくった。こうして得た多面体骨組（Ｄ）と三角枠素体（Ｃ）を集めて、多面体ドーム（Ｅ）を形成する展開図を、図９に示す。
（Ｄ２）を天井部に位置させ、（Ｄ１）５つをその側部にそれぞれ構成している同じ長さの丸棒同士を、結束材の紐（４）で結合させ、底部において、隣り合う（Ｄ１）の間に（Ｃ１）５つをはさみこんで結合させることで、多面体ドーム（Ｅ）を完成させた。多面体ドーム（Ｅ）は、直径１メートル、高さ５０センチメートルの半球体のドームとなった。
これに布などで覆いをかけると物置に好適になった。また、ドームのままでも、犬小屋などに使うことができた。
【符号の説明】
【００１９】    Ａ：丸棒
Ｂ：楕円断面付丸棒
Ｃ：三角枠素体
Ｄ：多面体ドームの骨組み
Ｅ：ドーム型構造体
１：楕円断面付丸棒同士の結合材
２、３：三角枠素体同士の結合材
【図１】
0003150236.tif 000003
【図２】
0003150236.tif 000004
【図３】
0003150236.tif 000005
【図４】
0003150236.tif 000006
【図５】
0003150236.tif 000007
【図６】
0003150236.tif 000008
【図７】
0003150236.tif 000009
【図８】
0003150236.tif 000010
【図９】
0003150236.tif 000011